(57)【特許請求の範囲】
【請求項１】
制御部と記憶部とを少なくとも備えたサーバ装置、及び、制御部と記憶部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記記憶部は、前記ＢＩＭモデルを記憶するＢＩＭモデル記憶手段と、前記ＢＩＭモデル内外の環境に影響を及ぼす環境情報を記憶する環境情報記憶手段と、を備え、前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記環境情報記憶手段に記憶された前記環境情報に基づいて、前記統合ＢＩＭモデルの環境をシミュレーションする環境解析手段と、を備え、前記画面生成手段は、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析手段は、前記統合ＢＩＭモデルの環境のシミュレーションとして、前記画面表示手段により表示された前記レイアウト画面上で、前記環境情報記憶手段に記憶された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とするＢＩＭシステム。
【請求項２】
前記環境解析手段は、前記画面表示手段により表示された前記レイアウト画面上で、前記環境情報記憶手段に記憶された前記環境情報に含まれる前記オブジェクト情報に基づいて、前記環境オブジェクトを前記統合ＢＩＭモデル内で変化させながら、前記統合ＢＩＭモデルの環境をシミュレーションすることを特徴とする請求項１に記載のＢＩＭシステム。
【請求項３】
前記端末装置の前記制御部は、前記画面表示手段により表示された前記レイアウト画面上で、前記ＢＩＭモデル、又は、前記ＢＩＭパーツを変更する変更手段、を更に備え、前記画面生成手段は、前記変更手段により変更された前記ＢＩＭモデル、又は、前記ＢＩＭパーツを含む前記レイアウト画面を生成することを特徴とする請求項１又は請求項２に記載のＢＩＭシステム。
【請求項４】
制御部と記憶部とを少なくとも備えたサーバ装置、および、制御部と表示部とを少なくとも備えた端末装置、を通信可能に接続したＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデル、及び、前記環境情報記憶手段に記憶された前記環境情報を前記端末装置へ送信する情報提供手段と、を備え、前記端末装置の前記制御部は、前記情報提供手段により前記サーバ装置から送信された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記情報提供手段により前記サーバ装置から送信された前記環境情報に基づいて、前記統合ＢＩＭモデルの環境をシミュレーションする環境解析手段と、を備え、前記画面生成手段は、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析手段は、前記統合ＢＩＭモデルの環境のシミュレーションとして、前記画面表示手段により表示された前記レイアウト画面上で、前記情報提供手段により前記サーバ装置から送信された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とするＢＩＭシステム。
【請求項５】
制御部と記憶部と表示部を少なくとも備えたＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記環境情報記憶手段に記憶された前記環境情報に基づいて、前記統合ＢＩＭモデルの環境をシミュレーションする環境解析手段と、を備え、前記画面生成手段は、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析手段は、前記統合ＢＩＭモデルの環境のシミュレーションとして、前記画面表示手段により表示された前記レイアウト画面上で、前記環境情報記憶手段に記憶された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とするＢＩＭシステム。
【請求項６】
表示部を少なくとも備えた端末装置に通信可能に接続された、制御部と記憶部とを少なくとも備えたサーバ装置であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデル、及び、前記環境情報記憶手段に記憶された前記環境情報を前記端末装置へ送信する情報提供手段と、を備え、前記端末装置において、前記統合ＢＩＭモデル内の前記ＢＩＭパーツが表す昇降機の外観を含むレイアウト画面が前記表示部にて表示させ、前記レイアウト画面上で、前記情報提供手段により前記サーバ装置から送信された前記環境情報に基づいて、前記統合ＢＩＭモデルの環境をシミュレーションさせ、当該統合ＢＩＭモデルの環境のシミュレーションとして、前記レイアウト画面上で、前記情報提供手段により前記サーバ装置から送信された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションさせることを特徴とするサーバ装置。
【請求項７】
サーバ装置に通信可能に接続された、制御部と記憶部と表示部とを少なくとも備えた端末装置であって、前記記憶部は、建築物のＢＩＭモデルを記憶するＢＩＭモデル記憶手段と、前記ＢＩＭモデル内外の環境に影響を及ぼす環境情報を記憶する環境情報記憶手段と、を備え、前記制御部は、前記端末装置より送信した作成条件に対応する、前記ＢＩＭモデルに組込可能な昇降機のＢＩＭパーツを、前記サーバ装置から受信し、当該ＢＩＭパーツを前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記環境情報記憶手段に記憶された前記環境情報に基づいて、前記統合ＢＩＭモデルの環境をシミュレーションする環境解析手段と、を備え、前記画面生成手段は、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析手段は、前記統合ＢＩＭモデルの環境のシミュレーションとして、前記画面表示手段により表示された前記レイアウト画面上で、前記環境情報記憶手段に記憶された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とする端末装置。
【請求項８】
サーバ装置に通信可能に接続された、制御部と表示部とを少なくとも備えた端末装置であって、前記制御部は、前記端末装置より送信した作成条件に対応する、建築物のＢＩＭモデルに組込可能な昇降機のＢＩＭパーツを前記ＢＩＭモデルに組み込んだ統合ＢＩＭモデルを、前記サーバ装置から受信し、当該統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記サーバ装置から送信される、前記ＢＩＭモデル内外の環境に影響を及ぼす環境情報に基づいて、前記統合ＢＩＭモデルの環境をシミュレーションする環境解析手段と、を備え、前記画面生成手段は、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析手段は、前記統合ＢＩＭモデルの環境のシミュレーションとして、前記画面表示手段により表示された前記レイアウト画面上で、前記サーバ装置から送信される前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とする端末装置。
【請求項９】
制御部と記憶部とを少なくとも備えたサーバ装置、および、制御部と記憶部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記端末装置の前記記憶部は、前記ＢＩＭモデルを記憶するＢＩＭモデル記憶手段と、前記ＢＩＭモデル内外の環境に影響を及ぼす環境情報を記憶する環境情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ統合ＢＩＭモデルを作成する統合モデリングステップと、前記端末装置の前記制御部において実行される、前記統合モデリングステップにて作成された前記統合ＢＩＭモデルを含むレイアウト画面を生成する画面生成ステップと、前記端末装置の前記制御部において実行される、前記画面生成ステップにて生成された前記レイアウト画面を前記表示部に表示させる画面表示ステップと、前記端末装置の前記制御部において実行される、前記画面表示ステップにて表示された前記レイアウト画面上で、前記環境情報記憶手段に記憶された前記環境情報に基づいて、前記統合ＢＩＭモデルの環境をシミュレーションする環境解析ステップと、を含み、前記画面生成ステップでは、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析ステップでは、前記統合ＢＩＭモデルの環境のシミュレーションとして、前記画面表示ステップにて表示された前記レイアウト画面上で、前記環境情報記憶手段に記憶された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とする方法。
【請求項１０】
制御部と記憶部とを少なくとも備えたサーバ装置、および、制御部と表示部とを少なくとも備えた端末装置、を通信可能に接続したＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記サーバ装置の前記制御部において実行される、前記統合モデリングステップにて作成された前記統合ＢＩＭモデル、及び、前記環境情報記憶手段に記憶された前記環境情報を前記端末装置へ送信する情報提供ステップと、前記端末装置の前記制御部において実行される、前記情報提供ステップにて前記サーバ装置から送信された前記統合ＢＩＭモデルを含むレイアウト画面を生成する画面生成ステップと、前記端末装置の前記制御部において実行される、前記画面生成ステップにて生成された前記レイアウト画面を前記表示部に表示させる画面表示ステップと、前記端末装置の前記制御部において実行される、前記画面表示ステップにて表示された前記レイアウト画面上で、前記情報提供ステップにて前記サーバ装置から送信された前記環境情報に基づいて、前記統合ＢＩＭモデルの環境をシミュレーションする環境解析ステップと、を含み、前記画面生成ステップでは、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析ステップでは、前記統合ＢＩＭモデルの環境のシミュレーションとして、前記画面表示ステップにて表示された前記レイアウト画面上で、前記情報提供ステップにて前記サーバ装置から送信された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とする方法。
【請求項１１】
制御部と記憶部と表示部を少なくとも備えたＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に基づいて、前記統合ＢＩＭモデルの環境をシミュレーションする環境解析ステップと、を含み、前記画面生成ステップでは、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析ステップでは、前記統合ＢＩＭモデルの環境のシミュレーションとして、前記画面表示ステップにて表示された前記レイアウト画面上で、前記環境情報記憶手段に記憶された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とする方法。
【請求項１２】
表示部を少なくとも備えた端末装置に通信可能に接続された、制御部と記憶部とを少なくとも備えたサーバ装置において実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデル、及び、前記環境情報記憶手段に記憶された前記環境情報を前記端末装置へ送信する情報提供ステップと、を含み、前記環境情報は、前記ＢＩＭモデル内外の環境に影響を及ぼす環境オブジェクトに関するオブジェクト情報を含み、前記端末装置において、前記統合ＢＩＭモデル内の前記ＢＩＭパーツが表す昇降機の外観を含むレイアウト画面が前記表示部にて表示させ、前記レイアウト画面上で、前記情報提供ステップにて前記サーバ装置から送信された前記環境情報に基づいて、前記統合ＢＩＭモデルの環境をシミュレーションさせ、当該統合ＢＩＭモデルの環境のシミュレーションとして、前記レイアウト画面上で、前記情報提供ステップにて前記サーバ装置から送信された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションさせることを特徴とする方法。
【請求項１３】
サーバ装置に通信可能に接続された、制御部と記憶部と表示部とを少なくとも備えた端末装置において実行される方法であって、前記記憶部は、建築物のＢＩＭモデルを記憶するＢＩＭモデル記憶手段と、前記ＢＩＭモデル内外の環境に影響を及ぼす環境情報を記憶する環境情報記憶手段と、を備え、前記制御部において実行される、前記端末装置より送信した作成条件に対応する、前記ＢＩＭモデルに組込可能な昇降機のＢＩＭパーツを、前記サーバ装置から受信し、当該ＢＩＭパーツを前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に基づいて、前記統合ＢＩＭモデルの環境をシミュレーションする環境解析ステップと、を含み、前記画面生成ステップでは、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析ステップでは、前記統合ＢＩＭモデルの環境のシミュレーションとして、前記画面表示ステップにて表示された前記レイアウト画面上で、前記環境情報記憶手段に記憶された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とする方法。
【請求項１４】
サーバ装置に通信可能に接続された、制御部と表示部とを少なくとも備えた端末装置において実行される方法であって、前記制御部において実行される、前記端末装置より送信した作成条件に対応する、建築物のＢＩＭモデルに組込可能な昇降機のＢＩＭパーツを前記ＢＩＭモデルに組み込んだ統合ＢＩＭモデルを、前記サーバ装置から受信し、当該統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記サーバ装置から送信される、前記ＢＩＭモデル内外の環境に影響を及ぼす環境情報に基づいて、前記統合ＢＩＭモデルの環境をシミュレーションする環境解析ステップと、を含み、前記画面生成ステップでは、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析ステップでは、前記統合ＢＩＭモデルの環境のシミュレーションとして、前記画面表示ステップにて表示された前記レイアウト画面上で、前記サーバ装置から送信される前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とする方法。
【請求項１５】
制御部と記憶部と表示部を少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に基づいて、前記統合ＢＩＭモデルの環境をシミュレーションする環境解析ステップと、を実行させ、前記画面生成ステップでは、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析ステップでは、前記統合ＢＩＭモデルの環境のシミュレーションとして、前記画面表示ステップにて表示された前記レイアウト画面上で、前記環境情報記憶手段に記憶された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とするプログラム。
【請求項１６】
表示部を少なくとも備えた端末装置に通信可能に接続された、制御部と記憶部とを少なくとも備えたサーバ装置に実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部において、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデル、及び、前記環境情報記憶手段に記憶された前記環境情報を前記端末装置へ送信する情報提供ステップと、を実行させ、前記環境情報は、前記ＢＩＭモデル内外の環境に影響を及ぼす環境オブジェクトに関するオブジェクト情報を含み、前記端末装置において、前記統合ＢＩＭモデル内の前記ＢＩＭパーツが表す昇降機の外観を含むレイアウト画面が前記表示部にて表示させ、前記レイアウト画面上で、前記情報提供ステップにて前記サーバ装置から送信された前記環境情報に基づいて、前記統合ＢＩＭモデルの環境をシミュレーションさせ、当該統合ＢＩＭモデルの環境のシミュレーションとして、前記レイアウト画面上で、前記情報提供ステップにて前記サーバ装置から送信された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションさせることを特徴とするプログラム。
【請求項１７】
サーバ装置に通信可能に接続された、制御部と記憶部と表示部とを少なくとも備えた端末装置に実行させるためのプログラムであって、前記記憶部は、建築物のＢＩＭモデルを記憶するＢＩＭモデル記憶手段と、前記ＢＩＭモデル内外の環境に影響を及ぼす環境情報を記憶する環境情報記憶手段と、を備え、前記制御部において、前記端末装置より送信した作成条件に対応する、前記ＢＩＭモデルに組込可能な昇降機のＢＩＭパーツを、前記サーバ装置から受信し、当該ＢＩＭパーツを前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に基づいて、前記統合ＢＩＭモデルの環境をシミュレーションする環境解析ステップと、を実行させ、前記画面生成ステップでは、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析ステップでは、前記統合ＢＩＭモデルの環境のシミュレーションとして、前記画面表示ステップにて表示された前記レイアウト画面上で、前記環境情報記憶手段に記憶された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とするプログラム。
【請求項１８】
サーバ装置に通信可能に接続された、制御部と表示部とを少なくとも備えた端末装置に実行させるためのプログラムであって、前記制御部において、前記端末装置より送信した作成条件に対応する、建築物のＢＩＭモデルに組込可能な昇降機のＢＩＭパーツを前記ＢＩＭモデルに組み込んだ統合ＢＩＭモデルを、前記サーバ装置から受信し、当該統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記サーバ装置から送信される、前記ＢＩＭモデル内外の環境に影響を及ぼす環境情報に基づいて、前記統合ＢＩＭモデルの環境をシミュレーションする環境解析ステップと、を実行させ、前記画面生成ステップでは、前記統合ＢＩＭモデル内の前記ＢＩＭパーツが表す昇降機の外観を含む前記レイアウト画面を生成し、前記環境情報は、前記ＢＩＭモデル内外の環境に影響を及ぼす環境オブジェクトに関するオブジェクト情報を含み、前記環境解析ステップでは、前記統合ＢＩＭモデルの環境のシミュレーションとして、前記画面表示ステップにて表示された前記レイアウト画面上で、前記サーバ装置から送信される前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションすることを特徴とするプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機メーカの担当者は、昇降機を備える建築物を設計する客先に対して、平面図や断面図等の二次元図面及びカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本実施形態が解決しようとする課題は、昇降機の設備計画を提案する際、建築物に昇降機を組み込んだ状態を視覚的に分かりやすく表示することができるＢＩＭシステム、サーバ装置、端末装置、方法及びプログラムを提供することである。
【課題を解決するための手段】
【０００５】
実施形態のＢＩＭシステムは、制御部と記憶部とを少なくとも備えたサーバ装置、及び、制御部と記憶部と表示部とを少なくとも備えた端末装置、を通信可能に接続したＢＩＭシステムである。前記サーバ装置の前記記憶部は、パーツ情報記憶手段、を備える。パーツ情報記憶手段は、建築物のＢＩＭモデルに組込可能な昇降機のＢＩＭパーツを作成するためのパーツ情報を記憶する。前記サーバ装置の前記制御部は、昇降機モデリング手段と、情報提供手段と、を備える。昇降機モデリング手段は、前記端末装置から送信される作成条件に対応する前記ＢＩＭパーツを、前記パーツ情報記憶手段に記憶された前記パーツ情報を用いて作成する。情報提供手段は、前記昇降機モデリング手段により作成された前記ＢＩＭパーツを前記端末装置へ送信する。前記端末装置の前記記憶部は、前記ＢＩＭモデルを記憶するＢＩＭモデル記憶手段と、前記ＢＩＭモデル内外の環境に影響を及ぼす環境情報を記憶する環境情報記憶手段と、を備える。前記端末装置の前記制御部は、統合モデリング手段と、画面生成手段と、画面表示手段と、環境解析手段と、を備える。統合モデリング手段は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する。画面生成手段は、前記統合モデリング手段により作成された前記統合ＢＩＭモデルを含むレイアウト画面を生成する。前記画面生成手段は、前記統合ＢＩＭモデル内の前記ＢＩＭパーツが表す昇降機の外観を含む前記レイアウト画面を生成する。画面表示手段は、前記画面生成手段により生成された前記レイアウト画面を前記表示部に表示させる。環境解析手段は、前記画面表示手段により表示された前記レイアウト画面上で、前記環境情報記憶手段に記憶された前記環境情報に基づいて、前記統合ＢＩＭモデルの環境をシミュレーションする。前記環境情報は、前記ＢＩＭモデル内外の環境に影響を及ぼす環境オブジェクトに関するオブジェクト情報を含む。前記環境解析手段は、前記統合ＢＩＭモデルの環境のシミュレーションとして、前記画面表示手段により表示された前記レイアウト画面上で、前記環境情報記憶手段に記憶された前記環境情報に含まれる前記オブジェクト情報に基づいて、前記環境オブジェクトである太陽が環境に与える物理現象である日照による、前記ＢＩＭパーツが表す昇降機の昇降路内の温度変化についてシミュレーションする。
【図面の簡単な説明】
【０００６】
【図１】図１は、建築物の設計図書及びＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、ＢＩＭモデルにＢＩＭパーツを組み込んだ統合ＢＩＭモデルを含むレイアウト画面の一例を示す図である。
【図５】図５は、統合ＢＩＭモデル内のＢＩＭパーツが表す昇降機の外観を含むレイアウト画面の一例を示す図である。
【図６】図６は、第１の実施形態における環境シミュレーションを表すレイアウト画面の一例を示す図である。
【図７】図７は、第１の実施形態における環境シミュレーションを表すレイアウト画面の一例を示す図である。
【図８】図８は、第１の実施形態における処理の一例を示すフローチャートである。
【図９】図９は、第２の実施形態におけるサーバ装置の構成の一例を示すブロック図である。
【図１０】図１０は、第２の実施形態における処理の一例を示すフローチャートである。
【図１１】図１１は、第３の実施形態におけるＢＩＭ装置の構成の一例を示すブロック図である。
【図１２】図１２は、第３の実施形態における処理の一例を示すフローチャートである。
【発明を実施するための形態】
【０００７】
以下に、実施形態にかかるＢＩＭシステム、サーバ装置、端末装置、方法、及び、プログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデル）の概要について説明する。図１は、建築物の設計図書及びＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性及び整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性及び整合性の確認を行うことができる。以下の実施形態では、このＢＩＭを使用した昇降機客先提案システムについて説明する。
【０００９】
以下、実施形態の構成及び処理について、第１の実施形態（ＢＩＭシステム）、第２の実施形態（サーバ装置（サーバ主導型））、第３の実施形態（機能集中型のシステム（スタンドアロン型のＢＩＭ装置））の順にて詳細に説明する。
【００１０】
［第１の実施形態］
最初に、第１の実施形態（ＢＩＭシステム）について、図２乃至図８を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［ＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する建築物のＢＩＭモデルに組込可能な昇降機のＢＩＭパーツを、記憶部２０６に記憶されたパーツ情報を用いて作成する機能を有する。そして、サーバ装置２００は、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報記憶手段としてのパーツ情報データベース２０６ａは、建築物のＢＩＭモデルに組込可能な昇降機のＢＩＭパーツを作成するためのパーツ情報を記憶する。本実施形態において、昇降機は、エレベータ及び乗客コンベアを含む概念であり、乗客コンベアは、エスカレータ及び動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備、各種配線配管に関する情報などのうちの少なくとも１つを含む。さらに、パーツ情報としては、例えば、昇降機を構成する必要部材の部材強度、価格、寸法、質量、色、素材、材料、固有振動数といった情報の他、納期、在庫状況、据付時間、仕上げ材、耐用年数、メーカ情報、品番型番などのうちの少なくとも１つを含んでいてもよい。なお、パーツ情報は、上記に限定されない。
【００１６】
より具体的には、本実施形態において、パーツ情報は、例えば、後述の制御部１０２の処理によりＢＩＭパーツをＢＩＭモデルに組み込む際等に用いられるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、後述の制御部１０２の処理によりＢＩＭパーツをＢＩＭモデルに組み込んだ統合ＢＩＭモデルの動作を解析する際に用いられるＢＩＭパーツの動作パラメータを含む。ここで、動作パラメータは、昇降機の動作速度、動作パターン等を規定するパラメータである。また、パーツ情報は、例えば、後述の制御部１０２の処理により統合ＢＩＭモデルの環境をシミュレーションする際等に用いられるＢＩＭパーツの各種機器の機器設定情報等を含む。機器設定情報は、各種機器の設定に関する情報であり、例えば、昇降機が備える照明機器や空調機器等の設置位置、設置個数、仕様、メーカ情報、品番型番等のうちの少なくとも１つを含む。また、パーツ情報は、例えば、後述の制御部１０２の処理よりＢＩＭパーツを変更する際に用いられる設定パラメータを含む。ここで、設定パラメータは、ＢＩＭパーツを構成する各ユニットのサイズ、色、材質、上記機器設定情報等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信手段としての作成条件受信部２０２ａ、昇降機モデリング手段としての昇降機モデリング部２０２ｂ、及び、情報提供手段としての情報提供部２０２ｃ、を備える。
【００１８】
このうち、作成条件受信部２０２ａは、端末装置１００から送信される作成条件を受信する。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、例えば、昇降機を設置する建築物の概要、設置位置等、後述するＢＩＭモデルデータベース１０６ａに格納されている建築物のＢＩＭモデルの構造情報を含んでもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する。昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｂは、作成条件受信部２０２ａにより受信された作成条件に基づいた納期、価格、あるいは、嗜好性に応じてＢＩＭパーツを自動的に最適化して作成するようにしてもよい。例えば、昇降機モデリング部２０２ｂは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｂは、利用者によって価格優先の選択がなされている場合には、設置可能な複数の昇降機のＢＩＭパーツのうち価格が安いものから順に自動で複数作成するようにしてもよい。昇降機モデリング部２０２ｂは、利用者によって利用者の嗜好性が設定されている場合には、設置可能な複数の昇降機のＢＩＭパーツのうち嗜好性にあったものから順に自動で複数作成するようにしてもよい。昇降機モデリング部２０２ｂは、作成した昇降機のＢＩＭパーツを記憶部２０６に格納して、ＢＩＭパーツデータベース（図示せず）を構築してもよい。
【００２０】
また、情報提供部２０２ｃは、昇降機モデリング部２０２ｂにより作成された昇降機のＢＩＭパーツを端末装置１００へ送信する。ここでは、情報提供部２０２ｃは、昇降機のＢＩＭパーツの情報を含むＢＩＭ情報を生成し、生成されたＢＩＭ情報を端末装置１００へ送信する。
【００２１】
［端末装置１００の構成］
また、図２において、端末装置１００は、サーバ装置２００から送信された昇降機のＢＩＭパーツを、記憶部１０６に記憶された建築物のＢＩＭモデルに組み込んだ統合ＢＩＭモデルを作成する機能を有する。そして、端末装置１００は、作成された統合ＢＩＭモデルを含むレイアウト画面を生成し、生成されたレイアウト画面を表示部１１４に表示させる等の機能を有する。そして、端末装置１００は、表示部１１４に表示されたレイアウト画面上で統合ＢＩＭモデルの動作をシミュレーションする機能（動作解析機能）や環境をシミュレーションする機能（環境解析機能）等を有する。端末装置１００は、例えば、一般に市販されるデスクトップ型またはノート型のパーソナルコンピュータ等の情報処理装置、携帯電話、スマートフォン、ＰＨＳ、及びＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００２２】
ここで、表示部１１４は、アプリケーション等の表示画面を表示する表示手段（例えば、液晶または有機ＥＬ等から構成されるディスプレイ、モニタ、及び、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、及び、ゲームパッド等）、マウス、キーボード、及び、マイク等であってもよい。また、入出力制御インターフェース部１０８は、表示部１１４、音声出力部１１６、及び、入力部１１８等の制御を行う。
【００２３】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００及びサーバ装置２００と、外部機器または外部システムとを相互に接続する機能を有し、例えば、インターネット、電話回線網（携帯端末回線網及び一般電話回線網等）、イントラネット、または、電力線通信（ＰＬＣ）等であってもよい。
【００２４】
また、記憶部１０６は、ＨＤＤやＳＳＤ等の大容量のストレージ手段、及び／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６は、各種のデータベースやファイルやテーブル（ＢＩＭモデル記憶手段としてのＢＩＭモデルデータベース１０６ａ、環境情報記憶手段としての環境情報データベース１０６ｂ等）を格納してもよい。ここで、記憶部１０６は、各種のファイル等を一時的に記憶するものであってもよい。
【００２５】
ＢＩＭモデルデータベース１０６ａは、建築物のＢＩＭモデルを記憶する。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の数量や特性、部材強度、固有振動数、耐用年数、各種付属設備、各種配線配管、建築物が備える照明機器や空調機器等の設置位置、設置個数、仕様、メーカ情報、品番型番等、各種機器の設定等の情報のうちの少なくとも１つを含む構造情報が含まれるが、これに限定されない。本実施形態において、上述の昇降機モデリング部２０２ｂによりＢＩＭパーツを作成する際、後述の制御部１０２の処理により統合ＢＩＭモデルの環境をシミュレーションする際等に、上述の構造情報が参照される。
【００２６】
環境情報データベース１０６ｂは、建築物のＢＩＭモデル内外の環境に影響を及ぼす外的因子の環境情報を記憶する。建築物のＢＩＭモデルの環境情報は、ＢＩＭモデルが示す建築物の内外の環境を定義する情報であり、例えば、建築物の内外の各種静的な環境条件、動的な環境条件等に関する情報を含む。環境条件は、例えば、ＢＩＭモデルが示す建築物の地理条件、天候・気候条件、日照条件、風速条件、寒冷条件、湿度条件、塩害条件等の情報のうちの少なくとも１つを含むが、これに限られない。また、建築物のＢＩＭモデルの環境情報は、例えば、建築物のＢＩＭモデル内外の環境に影響を及ぼす環境オブジェクトに関するオブジェクト情報を含む。環境オブジェクトに関するオブジェクト情報は、環境オブジェクトを模した３次元モデルを構築するための形状データの他、例えば、各環境オブジェクトの移動条件や経時変化条件、環境オブジェクトが与える物理現象（温度変化、明るさの変化等）についての物理現象条件等に関する情報のうちの少なくとも１つを含む。ここで、環境オブジェクトは、ＢＩＭモデルが示す建築物の内外の環境に影響を及ぼす物体であり、例えば、太陽、月、樹木、人工物、各種地形等の他、東西南北を示す方位記号等のうちの少なくとも１つを含んでもよい。環境情報は、外部記憶装置（図示せず）から読み込まれたものであってもよいし、入力部１１８を介して格納されたものであってもよいし、ネットワーク３００を介して格納されたものであってもよい。本実施形態において、後述の制御部１０２の処理により統合ＢＩＭモデルの環境をシミュレーションする際等に、上述の環境情報が参照される。
【００２７】
また、制御部１０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部１０２は、これらのプログラム等により、種々の処理を実行するための情報処理を行う。制御部１０２は、機能概念的に、作成条件送信手段としての作成条件送信部１０２ａ、統合モデリング手段としての統合モデリング部１０２ｂ、画面生成手段としての画面生成部１０２ｃ、画面表示手段としての画面表示部１０２ｄ、動作解析手段としての動作解析部１０２ｅを備える。さらに、制御部１０２は、機能概念的に、環境解析手段としての環境解析部１０２ｆ、変更手段としての変更部１０２ｇを備える。
【００２８】
このうち、作成条件送信部１０２ａは、利用者により入力される上述の作成条件をサーバ装置２００へ送信する作成条件送信手段である。作成条件は、利用者により入力部１１８を介して入力されたものであってもよいし、予め作成条件が記憶された外部記憶装置（図示せず）から読み込まれたものであってもよい。
【００２９】
また、統合モデリング部１０２ｂは、サーバ装置２００から送信されたＢＩＭ情報に応じた昇降機のＢＩＭパーツを、ＢＩＭモデルデータベース１０６ａに記憶された建築物のＢＩＭモデルに組み込んだ統合ＢＩＭモデルを作成する。例えば、統合モデリング部１０２ｂは、図４に示すようなエレベータのＢＩＭパーツを建築物のＢＩＭモデルの組み込んだ３次元の統合ＢＩＭモデルを作成する。ここで、図４は、ＢＩＭモデルにＢＩＭパーツを組み込んだ統合ＢＩＭモデルの一例を示す図である。図４では、建築物の完成時におけるエレベータの設置状態を示す統合ＢＩＭモデルの一部が示されている。ここで、統合モデリング部１０２ｂは、作成した統合ＢＩＭモデルを記憶部１０６に格納して、統合ＢＩＭモデルデータベース（図示せず）を構築してもよい。
【００３０】
また、画面生成部１０２ｃは、統合モデリング部１０２ｂにより作成された統合ＢＩＭモデルを含むレイアウト画面を生成する。
【００３１】
また、画面表示部１０２ｄは、画面生成部１０２ｃにより生成されたレイアウト画面を表示部１１４に表示させる。画面表示部１０２ｄは、例えば、図４に示すようなエレベータのＢＩＭパーツを建築物のＢＩＭモデルの組み込んだ３次元の統合ＢＩＭモデルを含むレイアウト画面を表示部１１４に表示させる。
【００３２】
ところで、例えば、展望エレベータなど、昇降機の設計においては、昇降機と建築物との関係性を加味したデザインを行うことが望まれる場合がある。
【００３３】
本実施形態は、ＢＩＭを用いて、例えば、昇降機の設計等の際に建築物に昇降機が組み込まれた状態の外観を３次元のイメージモデルで視覚的に表し可視化する。これにより、本実施形態は、例えば、昇降機のデザイン性等の検討の容易化、短期間で客先に最適なデザイン等を提案すること、変更等に対してもタイムリーに作業を進めること、より効率的に業務をすすめること等を実現できるようにしている。
【００３４】
具体的には、画面生成部１０２ｃは、統合モデリング部１０２ｂにより作成された統合ＢＩＭモデルに基づいて、統合ＢＩＭモデル内のＢＩＭパーツが表す昇降機の外観を含むレイアウト画面を生成する。そして、画面表示部１０２ｄは、例えば、図５に示すような統合ＢＩＭモデル内のＢＩＭモデルが表す建築物の外観と共に、ＢＩＭパーツが表す昇降機の外観を含むレイアウト画面を表示部１１４に表示させる。この図５に示すレイアウト画面では、ＢＩＭモデルが表す建築物の外観と共に、ＢＩＭパーツが表す昇降機の外観として、昇降路ガラス１、展望用エレベータ乗りかご２、乗りかご２の外壁ガラス２ａ、乗りかご２の外装２ｂ、カウンタウェイト３等が表示されている。これにより、ＢＩＭシステムは、竣工後における建築物に昇降機が組み込まれた状態の外観を事前に可視化することができる。
【００３５】
また、動作解析部１０２ｅは、画面表示部１０２ｄにより表示されたレイアウト画面上で昇降機のＢＩＭパーツの動作をシミュレーションする。具体的には、動作解析部１０２ｅは、昇降機のＢＩＭパーツに含まれるパーツ情報が示すＢＩＭパーツの上述の動作パラメータに基づいて昇降機のＢＩＭパーツの動作を統合ＢＩＭモデル内でシミュレーションする。例えば、動作解析部１０２ｅは、画面表示部１０２ｄにより表示されたレイアウト画面上で昇降機の扉を開閉させたり、乗りかごを昇降させたりなどして、昇降機のＢＩＭパーツの動作を統合ＢＩＭモデル内でシミュレーションする。また、動作解析部１０２ｅは、昇降機のＢＩＭパーツの動作を統合ＢＩＭモデル内でシミュレーションすることで、ＢＩＭパーツが表す昇降機の外観の変化等をシミュレーションすることができる。
【００３６】
また、本実施形態は、ＢＩＭを用いて、ＢＩＭモデルが示す建築物の内外の環境条件に起因する昇降機への影響の確認を行うことも可能としている。
【００３７】
具体的には、環境解析部１０２ｆは、画面表示部１０２ｄにより表示されたレイアウト画面上で、環境情報データベース１０６ｂに記憶された環境情報に基づいて、統合ＢＩＭモデルの環境をシミュレーションする。より詳細には、環境解析部１０２ｆは、画面表示部１０２ｄにより表示されたレイアウト画面上で、環境情報データベース１０６ｂに記憶された環境情報に含まれるオブジェクト情報に基づいて、環境オブジェクトを統合ＢＩＭモデル内で変化させながら、統合ＢＩＭモデルの環境をシミュレーションする。環境解析部１０２ｆは、ＢＩＭモデルデータベース１０６ａに記憶されているＢＩＭモデルの構造情報に含まれる各種機器の設定に関する情報、環境情報データベース１０６ｂに記憶された環境情報に含まれる環境条件等に関する情報及びオブジェクト情報、情報提供部２０２ｃによって送信されるＢＩＭパーツのパーツ情報に含まれる機器設定情報等に基づいて、レイアウト画面上で、統合ＢＩＭモデルの環境をシミュレーションする。これにより、ＢＩＭシステムは、竣工後における建築物の環境条件の昇降機への影響を事前に可視化することができる。
【００３８】
例えば、環境解析部１０２ｆは、図６に例示するように、レイアウト画面上の統合ＢＩＭモデルにおいて、統合ＢＩＭモデルの日照条件についてシミュレーションする。この場合、環境解析部１０２ｆは、例えば、オブジェクト情報に基づいて、環境オブジェクト４として太陽の位置、東西南北を示す方位記号を、統合ＢＩＭモデルを含むレイアウト画面上にあわせて表示し、統合ＢＩＭモデル内で時間帯に応じて太陽の位置を変化させながら、統合ＢＩＭモデルの環境をシミュレーションする。環境解析部１０２ｆは、時間帯だけでなく、夏至の太陽の位置、冬至の太陽の位置等、季節に応じて太陽の位置を変化させてシミュレーションしてもよい。あわせて、環境解析部１０２ｆは、環境オブジェクトが環境に与える物理現象（温度変化、明るさの変化等）についてシミュレーションしてもよい。すなわち、環境解析部１０２ｆは、環境オブジェクト４である太陽が与える物理現象として、例えば、図７に例示するように、統合ＢＩＭモデルを含むレイアウト画面上で、統合ＢＩＭモデル内での日なた領域５や日かげ領域６の変化、明るさの変化等についてシミュレーションし、表示してもよい。また、環境解析部１０２ｆは、環境オブジェクト４である太陽が環境に与える物理現象として、例えば、統合ＢＩＭモデルを含むレイアウト画面上で、日照による昇降路内の温度変化（温度上昇）についてシミュレーションしてもよい。また、環境解析部１０２ｆは、オブジェクト情報に基づいて、統合ＢＩＭモデルを含むレイアウト画面上に、環境オブジェクト４として月、樹木、人工物、各種地形等をあわせて表示し、統合ＢＩＭモデル内で時間帯、季節等に応じてこれら月、樹木、人工物、各種地形等を変化させながら、統合ＢＩＭモデルの環境をシミュレーションするようにしてもよい。この他、環境解析部１０２ｆは、レイアウト画面上の統合ＢＩＭモデルにおいて、統合ＢＩＭモデルの地理条件、天候・気候条件、風速条件、寒冷条件、湿度条件、塩害条件等についてシミュレーションするようにしてもよい。
【００３９】
また、変更部１０２ｇは、画面表示部１０２ｄにより表示されたレイアウト画面上でＢＩＭモデル、又は、ＢＩＭパーツを変更する。具体的には、また、変更部１０２ｇは、利用者により入力される変更条件に応じて、ＢＩＭモデルデータベース１０６ａに記憶されているＢＩＭモデルに含まれる構造情報を変更することで、建築物のＢＩＭパーツを変更する。また、変更部１０２ｇは、利用者により入力される変更条件に応じてＢＩＭパーツに含まれるパーツ情報の上記設定パラメータを変更することで、昇降機のＢＩＭパーツを変更する。またこれにより、変更部１０２ｇは、利用者により入力される変更条件に応じて、ＢＩＭパーツの各種機器の機器設定を変更することもできる。そして、上記画面生成部１０２ｃは、変更部１０２ｇにより変更されたＢＩＭモデル、又は、ＢＩＭパーツを含むレイアウト画面、すなわち、変更されたＢＩＭモデル、又は、ＢＩＭパーツが反映された統合ＢＩＭモデルを含むレイアウト画面を生成する。画面表示部１０２ｄは、変更部１０２ｇにより変更されたＢＩＭモデル、又は、ＢＩＭパーツが反映された統合ＢＩＭモデルを含むレイアウト画面を表示部１１４に表示させる。これにより、このＢＩＭシステムは、利用者等による設計変更等を即座にＢＩＭモデル、ＢＩＭパーツ等に反映させ、表示部１１４に表示されている統合ＢＩＭモデルに反映させることができる。
【００４０】
以上で、第１の実施形態におけるＢＩＭシステムの構成の一例の説明を終える。
【００４１】
［ＢＩＭシステムの処理］
次に、このように構成された第１の実施形態におけるＢＩＭシステムの処理の一例について、以下に図８を参照して詳細に説明する。図８は、第１の実施形態におけるＢＩＭシステムの処理の一例を示すフローチャートである。
【００４２】
図８に示すように、端末装置１００の作成条件送信部１０２ａは、サーバ装置２００にアクセス可能かを判定した後、可能であれば利用者により入力される作成条件をサーバ装置２００へ送信する（ステップＳＡ−１）。
【００４３】
そして、サーバ装置２００の作成条件受信部２０２ａは、ステップＳＡ−１にて作成条件送信部１０２ａの処理により送信される作成条件を受信する（ステップＳＡ−２）。
【００４４】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。
【００４５】
そして、サーバ装置２００の情報提供部２０２ｃは、ステップＳＡ−３にて昇降機モデリング部２０２ｂの処理により作成された昇降機のＢＩＭパーツの情報を含むＢＩＭ情報を生成する（ステップＳＡ−４）。
【００４６】
そして、サーバ装置２００の情報提供部２０２ｃは、ステップＳＡ−５での処理により作成したＢＩＭ情報を端末装置１００へ送信する（ステップＳＡ−５）。
【００４７】
そして、端末装置１００の制御部１０２は、ステップＳＡ−５にて情報提供部２０２ｃの処理により送信されたＢＩＭ情報を受信する（ステップＳＡ−６）。
【００４８】
そして、端末装置１００の統合モデリング部１０２ｂは、ステップＳＡ−６にて制御部１０２の処理により受信されたＢＩＭ情報に含まれる単数または複数の昇降機のＢＩＭパーツを、ＢＩＭモデルデータベース１０６ａに記憶された建築物のＢＩＭモデルに組み込んだ統合ＢＩＭモデルを作成する（ステップＳＡ−７）。統合モデリング部１０２ｂは、ＢＩＭ情報に含まれる昇降機のＢＩＭパーツが複数ある場合には、複数の統合ＢＩＭモデルを作成してもよいし、利用者の入力に応じて選択された１つのＢＩＭパーツに対応する統合ＢＩＭモデルを作成してもよい。
【００４９】
そして、端末装置１００の画面生成部１０２ｃは、ステップＳＡ−７にて統合モデリング部１０２ｂの処理により作成された統合ＢＩＭモデルを含むレイアウト画面を生成する（ステップＳＡ−８）。ここでは、画面生成部１０２ｃは、ステップＳＡ−７にて統合モデリング部１０２ｂの処理により作成された統合ＢＩＭモデルに基づいて、統合ＢＩＭモデル内のＢＩＭパーツが表す昇降機の外観を含むレイアウト画面を生成する。
【００５０】
そして、端末装置１００の画面表示部１０２ｄは、ステップＳＡ−８にて画面生成部１０２ｃの処理により生成されたレイアウト画面を表示部１１４に表示させる（ステップＳＡ−９）。例えば、画面表示部１０２ｄは、上述した図５に例示すような統合ＢＩＭモデル内のＢＩＭパーツが表す昇降機の外観を含むレイアウト画面を表示部１１４に表示させる。
【００５１】
そして、端末装置１００の動作解析部１０２ｅは、ステップＳＡ−９にて画面表示部１０２ｄの処理により表示されたレイアウト画面上で昇降機のＢＩＭパーツの動作をシミュレーション（動作解析）する（ステップＳＡ−１０）。
【００５２】
そして、端末装置１００の環境解析部１０２ｆは、ステップＳＡ−９にて画面表示部１０２ｄの処理により表示されたレイアウト画面上で、環境情報データベース１０６ｂに記憶された環境情報に基づいて、統合ＢＩＭモデルの環境をシミュレーション（環境解析）する（ステップＳＡ−１１）。例えば、環境解析部１０２ｆは、図６、図７に例示したように、画面表示部１０２ｄにより表示されたレイアウト画面上で、環境情報データベース１０６ｂに記憶された環境情報に含まれるオブジェクト情報に基づいて、環境オブジェクトを統合ＢＩＭモデル内で変化させながら、統合ＢＩＭモデルの環境をシミュレーションする。
【００５３】
そして、端末装置１００の変更部１０２ｇは、利用者の入力に応じて変更があるか否かを判定する（ステップＳＡ−１２）。
【００５４】
端末装置１００の変更部１０２ｇは、ステップＳＡ−１２での処理により変更があると判定した場合（ステップＳＡ−１２：Ｙｅｓ）、処理をステップＳＡ−１に移行させる。端末装置１００の制御部１０２は、ステップＳＡ−１２にて変更部１０２ｇの処理により変更がないと判定された場合（ステップＳＡ−１２：Ｎｏ）、この処理を終了する。
【００５５】
以上で、第１の実施形態におけるＢＩＭシステムの処理の一例の説明を終える。
【００５６】
上記のように構成されるＢＩＭシステムは、例えば、各業種にて建物全体データである建築物の３次元モデル（すなわち、建築物のＢＩＭモデル）を共有することができるので、１個のデータ上で関連性及び整合性の確認を行うことができる。そして、ＢＩＭシステムは、ＢＩＭモデルに昇降機のＢＩＭパーツを統合した統合ＢＩＭモデル上で、昇降機設備に必要な設備工事等の検討事項を可視化、検討することができるので、高い設計品質を確保することができ、作業効率を向上することができる。そして、ＢＩＭシステムは、図５に示すように端末装置１００の表示部１１４に、統合ＢＩＭモデル内のＢＩＭパーツが表す昇降機の外観を含むレイアウト画面を表示することができる。また、上記のように構成されるＢＩＭシステムは、図６、図７に示すように端末装置１００の表示部１１４にて、統合ＢＩＭモデルを含むレイアウト画面上で、ＢＩＭモデルが示す建築物の内外の環境条件に起因する昇降機への影響を表示しシミュレーションすることができる。例えば、ＢＩＭシステムは、端末装置１００の表示部１１４に、環境オブジェクト等を表示させた上で、統合ＢＩＭモデルの環境をシミュレーションすることができる。これにより、ＢＩＭシステムは、竣工後における建築物に昇降機が組み込まれた状態の外観を事前に可視化することができ、また、竣工後における建築物の環境条件の昇降機への影響を事前に可視化することができる。
【００５７】
これにより、利用者は、施工前の計画段階で建築物に昇降機が組み込まれた状態の外観のイメージをモデルから視覚的に容易に比較、確認することができ、昇降機のデザイン性等の内容を効率よく検討しすすめることができる。例えば、利用者は、図５に例示するように、昇降路ガラス１、外壁ガラス２ａの大きさや外装２ｂの塗装等、意匠面として取り扱うべき範囲及び意匠自体等を容易に検討することが可能となる。これにより、利用者は、建築物の外観（ファサード）における昇降路、乗りかご、カウンタウェイト、メインロープ等の見え方を、実際に工事に入る前に事前時に詳細に検討することができる。
【００５８】
また、利用者は、建築物の環境条件の昇降機への影響をシミュレーションし視覚的に、確認、判断して最適化を図ることができ、例えば、デザイン性の向上、コスト低減、作業性向上、作業時間短縮等を図ることができる。これにより、利用者は、実際に工事に入る前に事前時に、建築物の内外の環境の影響を昇降機にも反映させて、詳細に検討することができる。例えば、利用者は、可視化された建築物の環境条件の昇降機への影響として、日照変化に基づいて、昇降機における照明計画、照明機器等の設定シミュレーション等を行うことができる。また、利用者は、光の影響を受ける機器、例えば、着床スイッチやドアセフティ等に用いられる光センサ等の光学機器の動作確認、当該光学機器の反射光等による誤作動確認等も合わせてシミュレーションすることもできる。また例えば、利用者は、乗りかご内に直射日光が入ると予測される場合等に、かご操作盤の行先開ボタンの点灯や階床表示灯、方向灯などの視認性の確認や見えやすい色合いの点灯色、輝度などの検討を事前に検証することができる。また、利用者は、建築物の環境条件の昇降機への影響として、例えば、昇降路や乗りかご内の温度変化に基づいて、昇降機における空調計画、空調機器等の設定シミュレーション等をおこなうことができる。例えば、利用者は、シミュレーション結果に基づいて、乗りかご内の最高温度や最低温度を把握して、最適な空調容量を容易に算出することができる。また例えば、利用者は、昇降路壁や昇降路ガラス１、外壁ガラス２ａを変更しながら、乗りかご内温度に対する日照の影響を検討することができる。
【００５９】
また、利用者は、建築物に昇降機が組み込まれた状態の外観のイメージや上記の環境シミュレーションの結果等に応じて設計に反映させることができ、設計変更が行われた場合には即座に利用者に対してフィードバックされることから、タイムリーに作業を進めることができる。また、利用者は、例えば、外観のイメージや環境条件の影響を含めた昇降機設備計画等においても、客先のイメージの相互確認を容易に行うことができ、提案を効率よく行うことができ、短期間で客先に最適な仕様等を提案する。また、利用者は、レイアウト画面上で昇降機のＢＩＭパーツの動作をシミュレーションすることができ、例えば、外観のイメージや環境条件の影響を含めて昇降機の動き等を可視化してシミュレーションすることができ、客先に対して容易に種々の検証及び提案を行うことができる。なお、このＢＩＭシステムは、例えば、上記のような環境シミュレーションの結果を自動的に設計に反映させるようにしてもよい。
【００６０】
なお、以上で説明した端末装置１００の制御部１０２は、動作解析部１０２ｅ、環境解析部１０２ｆ、変更部１０２ｇを備えない構成であってもよい。また、図８で例示したＢＩＭシステムの処理は、ステップＳＡ−１０、ステップＳＡ−１１、ステップＳＡ−１２等を含まない構成であってもよい。
【００６１】
［第２の実施形態］
図９は、第２の実施形態におけるサーバ装置の構成の一例を示すブロック図、図１０は、第２の実施形態における処理の一例を示すフローチャートである。なお、以下の第２の実施形態（サーバ装置２００（サーバ主導型））の説明では、上述した実施形態と共通する構成、作用、効果については、重複した説明はできるだけ省略する。また、図９は、第２の実施形態におけるサーバ装置２００の構成のうち主として本実施形態に関係する部分を概念的に示している。
【００６２】
なお、第２の実施形態においては、サーバ装置２００側で統合ＢＩＭモデルを作成し、当該統合ＢＩＭモデルを端末装置１００へ送信している。このように、第２の実施形態は、サーバ装置２００にてサーバ主導で処理を行う点が、その他の実施形態と異なる。
【００６３】
［サーバ装置２００（サーバ主導型）の構成］
まず、第２の実施形態におけるサーバ装置２００（サーバ主導型）の構成の一例について、図９を参照して以下に説明する。
【００６４】
図９に示すように、第２の実施形態のサーバ装置２００は、出力部（表示部１１４及び音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００及び端末装置１００の各部は任意の通信路を介して通信可能に接続されている。
【００６５】
図９において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、作成された昇降機のＢＩＭパーツを、記憶部２０６に記憶された建築物のＢＩＭモデルに組み込んだ統合ＢＩＭモデルを作成する機能を有する。そして、サーバ装置２００は、作成された統合ＢＩＭモデルを端末装置１００へ送信することにより、端末装置１００において、当該統合ＢＩＭモデルを含むレイアウト画面を表示部１１４に表示させる等の機能を有する。
【００６６】
なお、サーバ装置２００における通信制御インターフェース部２０４及び記憶部２０６（パーツ情報記憶手段としてのパーツ情報データベース２０６ａ、ＢＩＭモデル記憶手段としてのＢＩＭモデルデータベース２０６ｂ、及び、環境情報記憶手段としての環境情報データベース２０６ｃ等）の機能、また、端末装置１００における表示部１１４、音声出力部１１６、及び、入力部１１８の機能は、第１の実施形態と実質的に同様であるため説明を省略する。
【００６７】
また、図９において、制御部２０２は、ＯＳ等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信手段としての作成条件受信部２０２ａ、昇降機モデリング手段としての昇降機モデリング部２０２ｂ、及び、情報提供手段としての情報提供部２０２ｃ、統合モデリング手段としての統合モデリング部２０２ｄを備える。なお、作成条件受信部２０２ａ、及び、昇降機モデリング部２０２ｂの機能は、第１の実施形態と実質的に同様であるため説明を省略する。以下、説明を簡単にするため、統合モデリング部２０２ｄを先に説明した後、情報提供部２０２ｃを説明する。
【００６８】
このうち、統合モデリング部２０２ｄは、昇降機モデリング部２０２ｂにより作成された昇降機のＢＩＭパーツを、ＢＩＭモデルデータベース２０６ｂに記憶された建築物のＢＩＭモデルに組み込んだ統合ＢＩＭモデルを作成する。ここで、統合モデリング部２０２ｄは、作成した統合ＢＩＭモデルを記憶部２０６に格納して、統合ＢＩＭモデルデータベース（図示せず）を構築してもよい。
【００６９】
また、情報提供部２０２ｃは、統合モデリング部２０２ｄにより作成された統合ＢＩＭモデルを端末装置１００へ送信する。また、情報提供部２０２ｃは、必要に応じて、昇降機モデリング部２０２ｂにより作成された昇降機のＢＩＭパーツ、パーツ情報データベース２０６ａに記憶されているパーツ情報、ＢＩＭモデルデータベース２０６ｂに記憶されているＢＩＭモデルの構造情報、環境情報データベース２０６ｃに記憶されている環境情報等を、統合ＢＩＭモデルとともに送信してもよい。ここでは、情報提供部２０２ｃは、統合ＢＩＭモデルの情報、必要に応じてパーツ情報データベース２０６ａに記憶されているパーツ情報、ＢＩＭモデルデータベース２０６ｂに記憶されているＢＩＭモデルの構造情報、環境情報データベース２０６ｃに記憶されているオブジェクト情報を含むＢＩＭ情報を生成し、生成されたＢＩＭ情報を端末装置１００へ送信する。
【００７０】
以上で、第２の実施形態におけるサーバ装置２００の構成の一例の説明を終える。
【００７１】
なお、図９において、端末装置１００の制御部１０２は、図示しないが第１の実施形態と同様に、作成条件送信手段、画面生成手段、画面表示手段、動作解析手段、環境解析手段、変更手段を備えている。第２の実施形態では、端末装置１００が備える画面生成手段がサーバ装置２００から受信した統合ＢＩＭモデルを含むレイアウト画面を生成する点、動作解析部１０２ｅがサーバ装置２００から受信した各種情報に基づいてレイアウト画面上で昇降機のＢＩＭパーツの動作をシミュレーションする点、環境解析部１０２ｆがサーバ装置２００から受信した各種情報に基づいてレイアウト画面上で統合ＢＩＭモデルの環境をシミュレーション点を除き、各手段の機能は第１の実施形態と実質的に同様であるため説明を省略する。
【００７２】
［サーバ装置２００（サーバ主導型）の処理］
次に、このように構成された第２の実施形態におけるサーバ装置２００の処理の一例について、以下に図１０を参照して詳細に説明する。図１０は、第２の実施形態におけるサーバ装置２００の処理の一例を示すフローチャートである。
【００７３】
図１０に示すように、端末装置１００の制御部１０２は、サーバ装置２００にアクセス可能かを判定した後、可能であれば利用者により入力される作成条件をサーバ装置２００へ送信する（ステップＳＢ−１）。
【００７４】
そして、サーバ装置２００の作成条件受信部２０２ａは、ステップＳＢ−１にて作成条件送信部１０２ａの処理により送信される作成条件を受信する（ステップＳＢ−２）。
【００７５】
そして、サーバ装置２００の昇降機モデリング部２０２ｂは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−３）。
【００７６】
そして、サーバ装置２００の統合モデリング部２０２ｄは、ステップＳＢ−３にて昇降機モデリング部２０２ｂの処理により作成された昇降機のＢＩＭパーツを、ＢＩＭモデルデータベース２０６ｂに記憶された建築物のＢＩＭモデルに組み込んだ統合ＢＩＭモデルを作成する（ステップＳＢ−４）。
【００７７】
そして、サーバ装置２００の情報提供部２０２ｃは、ステップＳＢ−４にて昇降機モデリング部２０２ｂの処理により作成された統合ＢＩＭモデルの情報を含むＢＩＭ情報を生成する（ステップＳＢ−５）。情報提供部２０２ｃは、必要に応じてさらにパーツ情報データベース２０６ａに記憶されているパーツ情報、ＢＩＭモデルデータベース２０６ｂに記憶されているＢＩＭモデルの構造情報、環境情報データベース２０６ｃに記憶されている環境情報を含むＢＩＭ情報を生成する。
【００７８】
そして、サーバ装置２００の情報提供部２０２ｃは、ステップＳＢ−５での処理により作成したＢＩＭ情報を端末装置１００へ送信する（ステップＳＢ−６）。
【００７９】
そして、端末装置１００の制御部１０２は、ステップＳＢ−６にて情報提供部２０２ｃの処理により送信されたＢＩＭ情報を受信する（ステップＳＢ−７）。
【００８０】
そして、端末装置１００の制御部１０２は、ステップＳＢ−７にて制御部１０２の処理により受信されたＢＩＭ情報に基づいてレイアウト画面を生成する（ステップＳＢ−８）。ここでは、制御部１０２は、ステップＳＢ−７にて制御部１０２の処理により受信されたＢＩＭ情報に基づいて、統合ＢＩＭモデル内のＢＩＭパーツが表す昇降機の外観を含むレイアウト画面を生成する。
【００８１】
そして、端末装置１００の制御部１０２は、ステップＳＢ−８にて制御部１０２の処理により生成されたレイアウト画面を表示部１１４に表示させる（ステップＳＢ−９）。例えば、制御部１０２は、上述した図５に例示すようなレイアウト画面を表示部１１４に表示させる。
【００８２】
そして、端末装置１００の制御部１０２は、ステップＳＢ−９にて制御部１０２の処理により表示されたレイアウト画面上で昇降機のＢＩＭパーツの動作をシミュレーションする（ステップＳＢ−１０）。
【００８３】
そして、端末装置１００の制御部１０２は、ステップＳＡ−９にて制御部１０２の処理により表示されたレイアウト画面上で、ステップＳＢ−７にて制御部１０２の処理により受信されたＢＩＭ情報に含まれる環境情報に基づいて、統合ＢＩＭモデルの環境をシミュレーションする（ステップＳＢ−１１）。例えば、制御部１０２は、図６、図７に例示したように、制御部１０２により表示されたレイアウト画面上で、ステップＳＢ−７にて制御部１０２の処理により受信された環境情報に含まれるオブジェクト情報に基づいて、環境オブジェクトを統合ＢＩＭモデル内で変化させながら、統合ＢＩＭモデルの環境をシミュレーションする。
【００８４】
そして、端末装置１００の制御部１０２は、利用者の入力に応じて変更があるか否かを判定する（ステップＳＢ−１２）。
【００８５】
端末装置１００の制御部１０２は、ステップＳＢ−１２での処理により変更があると判定した場合（ステップＳＢ−１２：Ｙｅｓ）、処理をステップＳＢ−１に移行させる。端末装置１００の制御部１０２は、ステップＳＢ−１２にて制御部１０２の処理により変更がないと判定された場合（ステップＳＢ−１２：Ｎｏ）、この処理を終了する。
【００８６】
以上で、第２の実施形態におけるサーバ装置２００の処理の一例の説明を終える。
【００８７】
［第３の実施形態］
図１１は、第３の実施形態におけるＢＩＭ装置の構成の一例を示すブロック図、図１２は、第３の実施形態における処理の一例を示すフローチャートである。なお、以下の第３の実施形態（ＢＩＭ装置４００（スタンドアロン型））の説明では、上述した実施形態と共通する構成、作用、効果については、重複した説明はできるだけ省略する。また、図１１は、第３の実施形態におけるＢＩＭ装置４００の構成のうち主として本実施形態に関係する部分を概念的に示している。
【００８８】
なお、第３の実施形態のＢＩＭシステムにおいては、全ての機能をＢＩＭ装置４００に集約し、ＢＩＭ装置４００は、利用者により入力される作成条件に対応するＢＩＭパーツを、記憶部４０６に記憶されたパーツ情報を用いて作成する機能を有する。そして、ＢＩＭ装置４００は、作成されたＢＩＭパーツを記憶部４０６に記憶されたＢＩＭモデルに組み込んだ統合ＢＩＭモデルを作成する機能を有する。そして、ＢＩＭ装置４００は、作成された統合ＢＩＭモデルを含むレイアウト画面を生成し、生成されたレイアウト画面を表示部４１４に表示させる等の機能を有する。このように、第３の実施形態は、ＢＩＭ装置４００がスタンドアロン型に構成され単独で処理を行う点がその他の実施形態と異なる。
【００８９】
［ＢＩＭ装置４００（スタンドアロン型）の構成］
まず、第３の実施形態におけるＢＩＭ装置４００（スタンドアロン型）の構成の一例について、図１１を参照して以下に説明する。
【００９０】
図１１に示すように、第３の実施形態のＢＩＭ装置４００は、出力部（表示部４１４及び音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【００９１】
図１１において、入出力制御インターフェース部４０８、表示部４１４、音声出力部４１６、及び、入力部４１８の各機能は、第１の実施形態と実質的に同様であるため説明を省略する。また、記憶部４０６の各部（パーツ情報記憶手段としてのパーツ情報データベース４０６ａ、ＢＩＭモデル記憶手段としてのＢＩＭモデルデータベース４０６ｂ、及び、環境情報記憶手段としての環境情報データベース４０６ｃ等）についても、サーバ装置２００ではなくＢＩＭ装置４００に備えられている点を除き、各機能が第１の実施形態と実質的に同様であるため説明を省略する。
【００９２】
また、制御部４０２の各部については、本実施形態のＢＩＭ装置４００がスタンドアロン型であり、制御部４０２が各送信部を備えていない点を除き、各機能は第１の実施形態と基本的に同様である。
【００９３】
また、図１１において、制御部４０２は、ＯＳ等の制御プログラムや、各種の処理手順等を規定したプログラム、及び、所要データを格納するための内部メモリを有する。そして、制御部４０２は、これらのプログラム等により、種々の処理を実行するための情報処理を行う。制御部４０２は、機能概念的に、作成条件設定手段としての作成条件設定部４０２ａ、昇降機モデリング手段としての昇降機モデリング部４０２ｂ、統合モデリング手段としての統合モデリング部４０２ｃを備える。さらに、制御部４０２は、機能概念的に、画面生成手段としての画面生成部４０２ｄ、画面表示手段としての画面表示部４０２ｅ、動作解析手段としての動作解析部４０２ｆ、環境解析手段としての環境解析部４０２ｇ、変更手段としての変更部４０２ｈを備える。
【００９４】
このうち、作成条件設定部４０２ａは、利用者により入力される作成条件を設定する作成条件設定手段である。ここで、作成条件は、利用者により入力部４１８を介して入力されたものであってもよいし、予め作成条件が記憶された外部記憶装置（図示せず）から読み込まれたものであってもよい。
【００９５】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する。ここで、昇降機モデリング部４０２ｂは、作成した昇降機のＢＩＭパーツを記憶部４０６に格納して、ＢＩＭパーツデータベース（図示せず）を構築してもよい。
【００９６】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ統合ＢＩＭモデルを作成する。ここで、統合モデリング部４０２ｃは、作成した統合ＢＩＭモデルを記憶部４０６に格納して、統合ＢＩＭモデルデータベース（図示せず）を構築してもよい。
【００９７】
また、画面生成部４０２ｄは、統合モデリング部４０２ｃにより作成された統合ＢＩＭモデルを含むレイアウト画面を生成する。ここでは、画面生成部４０２ｄは、統合モデリング部４０２ｃにより作成された統合ＢＩＭモデルに基づいて、統合ＢＩＭモデル内のＢＩＭパーツが表す昇降機の外観を含むレイアウト画面を生成する。
【００９８】
また、画面表示部４０２ｅは、画面生成部４０２ｄにより生成されたレイアウト画面を表示部４１４に表示させる。ここでは、画面表示部４０２ｅは、画面生成部４０２ｄにより生成された、統合ＢＩＭモデル内のＢＩＭパーツが表す昇降機の外観を含むレイアウト画面を表示部４１４に表示させる。
【００９９】
また、動作解析部４０２ｆは、画面表示部４０２ｅにより表示されたレイアウト画面上で昇降機のＢＩＭパーツの動作をシミュレーションする。動作解析部４０２ｆは、例えば、昇降機のＢＩＭパーツの動作を統合ＢＩＭモデル内でシミュレーションすることで、ＢＩＭパーツが表す昇降機の外観の変化等をシミュレーションすることができる。
【０１００】
また、環境解析部４０２ｇは、画面表示部４０２ｅにより表示されたレイアウト画面上で、環境情報データベース４０６ｃに記憶された環境情報に基づいて、統合ＢＩＭモデルの環境をシミュレーションする。より詳細には、環境解析部４０２ｇは、画面表示部４０２ｅにより表示されたレイアウト画面上で、環境情報データベース４０６ｃに記憶された環境情報に含まれるオブジェクト情報に基づいて、環境オブジェクトを統合ＢＩＭモデル内で変化させながら、統合ＢＩＭモデルの環境をシミュレーションする。
【０１０１】
また、変更部４０２ｈは、画面表示部４０２ｅにより表示されたレイアウト画面上でＢＩＭモデル、又は、ＢＩＭパーツを変更する。
【０１０２】
以上で、第３の実施形態におけるＢＩＭ装置４００の構成の一例の説明を終える。
【０１０３】
［ＢＩＭ装置４００（スタンドアロン型）の処理］
次に、このように構成された第３の実施形態におけるＢＩＭ装置４００の処理の一例について、以下に図１２を参照して詳細に説明する。図１２は、第３の実施形態におけるＢＩＭ装置４００の処理の一例を示すフローチャートである。
【０１０４】
図１２に示すように、まず、作成条件設定部４０２ａは、利用者により入力される作成条件を設定する（ステップＳＣ−１）。
【０１０５】
そして、昇降機モデリング部４０２ｂは、ステップＳＣ−１にて作成条件設定部４０２ａの処理により設定された作成条件に対応する昇降機のＢＩＭパーツを、パーツ情報データベース４０６ａに記憶されたパーツ情報を用いて作成する（ステップＳＣ−２）。
【０１０６】
そして、統合モデリング部４０２ｃは、ステップＳＣ−２にて昇降機モデリング部４０２ｂの処理により作成された昇降機のＢＩＭパーツを、ＢＩＭモデルデータベース４０６ｂに記憶された建築物のＢＩＭモデルに組み込んだ統合ＢＩＭモデルを作成する（ステップＳＣ−３）。
【０１０７】
そして、画面生成部４０２ｄは、ステップＳＣ−３にて統合モデリング部４０２ｃの処理により作成された統合ＢＩＭモデルに基づいて、レイアウト画面を生成する（ステップＳＣ−４）。ここでは、画面生成部４０２ｄは、ステップＳＣ−３にて統合モデリング部４０２ｃの処理により作成された統合ＢＩＭモデルに基づいて、統合ＢＩＭモデル内のＢＩＭパーツが表す昇降機の外観を含むレイアウト画面を生成する。
【０１０８】
そして、画面表示部４０２ｅは、ステップＳＣ−４にて画面生成部４０２ｄの処理により生成されたレイアウト画面を表示部４１４に表示させる（ステップＳＣ−５）。例えば、画面表示部４０２ｅは、上述した図５に例示すようなレイアウト画面を表示部４１４に表示させる。
【０１０９】
そして、動作解析部４０２ｆは、ステップＳＣ−５にて画面表示部４０２ｅの処理により表示されたレイアウト画面上で昇降機のＢＩＭパーツの動作をシミュレーションする（ステップＳＣ−６）。
【０１１０】
そして、環境解析部４０２ｇは、ステップＳＣ−５にて画面表示部４０２ｅの処理により表示されたレイアウト画面上で、環境情報データベース４０６ｃに記憶された環境情報に基づいて、統合ＢＩＭモデルの環境をシミュレーションする（ステップＳＣ−７）。例えば、環境解析部４０２ｇは、図６、図７に例示したように、画面表示部４０２ｅにより表示されたレイアウト画面上で、環境情報データベース４０６ｃに記憶された環境情報に含まれるオブジェクト情報に基づいて、環境オブジェクトを統合ＢＩＭモデル内で変化させながら、統合ＢＩＭモデルの環境をシミュレーションする。
【０１１１】
そして、変更部４０２ｈは、利用者の入力に応じて変更があるか否かを判定する（ステップＳＣ−８）。
【０１１２】
変更部４０２ｈは、ステップＳＣ−８での処理により変更があると判定した場合（ステップＳＣ−８：Ｙｅｓ）、処理をステップＳＣ−１に移行させる。変更部４０２ｈは、ステップＳＣ−８での処理により変更がないと判定した場合（ステップＳＣ−８：Ｎｏ）、この処理を終了する。
【０１１３】
以上で、第３の実施形態におけるＢＩＭ装置４００の処理の一例の説明を終える。
【０１１４】
このように、上述した第１〜第３の実施形態によれば、利用者により入力される作成条件に対応するＢＩＭパーツを、パーツ情報を用いて作成し、作成されたＢＩＭパーツをＢＩＭモデルに組み込んだ統合ＢＩＭモデルを作成する。そして、第１〜第３の実施形態によれば、作成された統合ＢＩＭモデルを含むレイアウト画面を生成し、生成されたレイアウト画面を表示させる。よって、第１〜第３の実施形態によれば、利用者が昇降機の設備計画を提案する際、建築物に昇降機を組み込んだ状態を視覚的に分かりやすく表示することができる。また、利用者は、昇降機を設置する建築物の設計段階から施工、竣工後、リニューアル（改修）時等の全体を通したシミュレーションを行うことができる。これにより、利用者は、昇降機を設置する建築物の設計において、全体的な管理及び確認を行えるので、客先の要望をより良く反映した提案が容易となる。その結果、本実施形態によれば、利用者は、打合せ時間の短縮ができ、不具合発生率の低減もでき、更に、再製作時等のコストを抑制することができる。
【０１１５】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１６】
例えば、上述の実施形態は、昇降機としてエレベータを例について説明したが、エスカレータ、動く歩道等の乗客コンベアについても同様に適用できる。
【０１１７】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１１９】
また、端末装置１００、サーバ装置２００、及び、ＢＩＭ装置４００に関して、図示の各構成要素は機能概念的なものであり、必ずしも物理的に図示の如く構成されていることを要しない。
【０１２０】
例えば、端末装置１００、サーバ装置２００、及び、ＢＩＭ装置４００の各装置が備える処理機能、特に制御部１０２、制御部２０２、及び、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）及び当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、及び、ＢＩＭ装置４００に機械的に読み取られる。すなわち、ＲＯＭまたはＨＤＤなどの記憶部１０６、記憶部２０６、及び、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１２１】
また、このコンピュータプログラムは、端末装置１００、サーバ装置２００、及び、ＢＩＭ装置４００に対して任意のネットワーク３００を介して接続されたアプリケーションプログラムサーバに記憶されていてもよく、必要に応じてその全部または一部をダウンロードすることも可能である。
【０１２２】
また、プログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及び、Ｂｌｕ−ｒａｙ  Ｄｉｓｃ等の任意の「可搬用の物理媒体」を含むものとする。
【０１２３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１２４】
記憶部１０６、記憶部２０６、及び、記憶部４０６に格納される各種のデータベース等（ＢＩＭモデルデータベース１０６ａ、環境情報データベース１０６ｂ、パーツ情報データベース２０６ａ、ＢＩＭモデルデータベース２０６ｂ、環境情報データベース２０６ｃ、パーツ情報データベース４０６ａ、ＢＩＭモデルデータベース４０６ｂ、及び、環境情報データベース４０６ｃ）は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【０１２５】
また、端末装置１００、サーバ装置２００、及び、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、及び、ＢＩＭ装置４００は、該情報処理装置に本実施形態の方法を実現させるソフトウェア（プログラム、データ等を含む）を実装することにより実現してもよい。
【０１２６】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１２７】
以上で説明した実施形態、変形例に係るＢＩＭシステム、サーバ装置、端末装置、方法及びプログラムによれば、昇降機の設備計画を提案する際、建築物に昇降機を組み込んだ状態を視覚的に分かりやすく表示することができる。
【符号の説明】
【０１２８】
１００  端末装置
１０２  制御部
１０２ａ  作成条件送信部
１０２ｂ  統合モデリング部
１０２ｃ  画面生成部
１０２ｄ  画面表示部
１０２ｅ  動作解析部
１０２ｆ  環境解析部
１０２ｇ  変更部
１０４  通信制御インターフェース部
１０６  記憶部
１０６ａ  ＢＩＭモデルデータベース
１０６ｂ  環境情報データベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０４  通信制御インターフェース部
２０６  記憶部
２０６ａ  パーツ情報データベース
２０６ｂ  ＢＩＭモデルデータベース
２０６ｃ  環境情報データベース
３００  ネットワーク
４００  ＢＩＭ装置（ＢＩＭシステム）
４０２  制御部
４０２ａ  作成条件設定部
４０２ｂ  昇降機モデリング部
４０２ｃ  統合モデリング部
４０２ｄ  画面生成部
４０２ｅ  画面表示部
４０２ｆ  動作解析部
４０２ｇ  環境解析部
４０２ｈ  変更部
４０６  記憶部
４０６ａ  パーツ情報データベース
４０６ｂ  ＢＩＭモデルデータベース
４０６ｃ  環境情報データベース
４０８  入出力制御インターフェース部
４１４  表示部
４１６  音声出力部
４１８  入力部
【図１】
0005591880.tif 000002
【図２】
0005591880.tif 000003
【図３】
0005591880.tif 000004
【図４】
0005591880.tif 000005
【図５】
0005591880.tif 000006
【図６】
0005591880.tif 000007
【図７】
0005591880.tif 000008
【図８】
0005591880.tif 000009
【図９】
0005591880.tif 000010
【図１０】
0005591880.tif 000011
【図１１】
0005591880.tif 000012
【図１２】
0005591880.tif 000013